(57)【特許請求の範囲】
【請求項１】
光源と、該光源と側面が対向して配設される導光板と、前記光源と前記導光板とを内部に収容するとともに前面側に開口された前面開口部を有する有底筒状の器具本体とを備え、
前記導光板に入射した光を前記器具本体の前面開口部から前面側に放出する照明器具において、
前記器具本体の底面である後面側外周部には貫通孔が形成され、
前記導光板の外周端部側に前記光源から入射した光の一部を前記器具本体の後面側に導光する光学制御部を設けるとともに、前記光学制御部からの光は前記貫通孔を介して前記器具本体の後面側に放出されることを特徴とする照明器具。
【請求項２】
請求項１に記載の照明器具において、
前記光源は、前記導光板の外周側面に対向して配設され、
前記光学制御部は、前記導光板の外周端部側の前面側に設けられ、前記導光板に入射した光の一部を反射する反射面であることを特徴とする照明器具。
【請求項３】
請求項１に記載の照明器具において、
前記光源は、前記導光板の外周側面に対向して配設され、
前記光学制御部は、前記導光板の外周端部側の後面側に設けられ、前記導光板に入射した光の一部を透過する透過面であることを特徴とする照明器具。
【請求項４】
請求項１に記載の照明器具において、
前記導光板は、中央部が開口する環状をなし、
前記光源は、前記導光板の内周側面に対向して配設され、
前記光学制御部は、前記導光板の外周端部側の後面側に設けられた透過面であることを特徴とする照明器具。
【発明の詳細な説明】
【技術分野】
【０００１】
本発明は、照明器具に関するものである。
【背景技術】
【０００２】
近年、発光ダイオード（以下、ＬＥＤ）は、低電力で高輝度の発光が可能であり、表示等や照明器具等の様々な電気機器の光源として使用されている。
例えば、特許文献１の照明器具では、装置本体の前面側（下方向）に光を照射するＬＥＤ等の光源と、この光源と１８０度照射方向が異なる装置本体の後面側（上方向及び取付面側）に光を照射する光源とを備えて上下方向に光を照射可能とされる。このような構成とすることで、人の作業空間だけでなく、室内全体の明るさを向上させることが可能とされる。
【先行技術文献】
【特許文献】
【０００３】
【特許文献１】特開２００９−２３１０２８号公報
【発明の概要】
【発明が解決しようとする課題】
【０００４】
ところで、上記のように複数の光源を用いた照明装置では、異なる方向に光を照射する場合には、その方向毎に光源を設けているため、部品点数の増加を招く虞がある。
本発明は、上記課題を解決するためになされたものであって、その目的は、部品点数を抑えることができる照明器具を提供することにある。
【課題を解決するための手段】
【０００５】
上記課題を解決するために、本発明の照明器具は、光源と、該光源と側面が対向して配設される導光板と、前記光源と前記導光板とを内部に収容するとともに前面側に開口された前面開口部を有する有底筒状の器具本体とを備え、前記導光板に入射した光を前記器具本体の前面開口部から前面側に放出する照明器具において、前記器具本体の底面である後面側外周部には貫通孔が形成され、前記導光板の外周端部側に前記光源から入射した光の一部を前記器具本体の後面側に導光する光学制御部を設けるとともに、前記光学制御部からの光は前記貫通孔を介して前記器具本体の後面側に放出されることを特徴とする。
【０００６】
上記構成において、光源は、前記導光板の外周側面に対向して配設され、前記光学制御部は、前記導光板の外周端部側の前面側に設けられ、前記導光板に入射した光の一部を反射する反射面であることが好ましい。
【０００７】
上記構成において、光源は、前記導光板の外周側面に対向して配設され、前記光学制御部は、前記導光板の外周端部側の後面側に設けられ、前記導光板に入射した光の一部を透過する透過面であることが好ましい。
【０００８】
上記構成において、導光板は、中央部が開口する環状をなし、前記光源は、前記導光板の内周側面に対向して配設され、前記光学制御部は、前記導光板の外周端部側の後面側に設けられた透過面であることが好ましい。
【発明の効果】
【０００９】
本発明によれば、部品点数を抑えることができる照明器具を提供することができる。
【図面の簡単な説明】
【００１０】
【図１】（ａ）は実施形態における照明器具の斜視図であり、（ｂ）は同実施形態の照明器具の分解斜視図である。
【図２】同上における照明器具の断面図である。
【図３】（ａ）は同上における照明器具の部分拡大断面図であり、（ｂ）は光源から出射される光を模式的に示した模式図である。
【図４】（ａ）は別例における照明器具の斜視図であり、（ｂ）は同別例の照明器具の分解斜視図である。
【図５】同上における照明器具の断面図である。
【図６】（ａ）は同上における照明器具の部分拡大断面図であり、（ｂ）は光源から出射される光を模式的に示した模式図である。
【図７】（ａ）は別例における照明器具の斜視図であり、（ｂ）は同別例の照明器具の分解斜視図である。
【図８】同上における照明器具の断面図である。
【図９】（ａ）は同上における照明器具の部分拡大断面図であり、（ｂ）は光源から出射される光を模式的に示した模式図である。
【発明を実施するための形態】
【００１１】
以下、本発明を具体化した一実施形態を図面に従って説明する。
図１及び図２に示すように、本実施形態の照明器具１０は、器具本体１１内に、光源１２と、導光板１３とを備える。
【００１２】
器具本体１１は、内部が中空の有底四角筒状をなす、その前面側に前面開口部１１ａを有し、後面側の底部１１ｂに例えば天井の引っ掛けシーリングに取り付けるための取付部（図示略）を有する。器具本体１１の底部１１ｂには、外周側に前後方向に貫通する貫通孔１１ｃが計４つ形成される。この貫通孔１１ｃは、前記底部１１ｂの中央側ほど幅狭となるような略台形形状の貫通孔である。貫通孔１１ｃには、この貫通孔１１ｃの形状に倣った形状でこの貫通孔１１ｃを閉塞する透過板１４が取り付けられる。透過板１４は、透過部材からなり、透過部材としては透明な樹脂材料（アクリルなど）やガラスなどが用いられる。
【００１３】
また器具本体１１は、樹脂又は金属材料で構成され、前記前面開口部１１ａを閉塞するように前記導光板１３が本体１１内部に取り付けられる。
前記光源１２は、複数のＬＥＤを並設した略棒状をなし、略正方形板状をなす導光板１３の４つの外側面１３ａのそれぞれと対向するように前記器具本体１１内部に取り付けられる。
【００１４】
導光板１３は、略正方形板状をなす透過部材からなり、透過部材としては透明な樹脂材料（アクリルなど）やガラスなどが用いられる。
導光板１３は、第１導光部２１と、第２導光部２２と、第３導光部２３とを備える。
【００１５】
第１導光部２１は、前記光源１２と対向する外側面１３ａを含み、光源１２からの光を第２導光部２２側に光Ｈ０を導光する。導光板１３の入射面である外側面１３ａは、光の取り込み効率を上げる処理（形状や表面反射低減など）が施されることが好ましい。
【００１６】
第２導光部２２は、第１導光部２１の厚さＬ１から徐々に厚さが薄くなるような形状の傾斜面２２ａを器具本体１１の後面側に有し、傾斜面２２ａから一部の光Ｈ１が後面側の本体１１の貫通孔１１ｃ側に導光され、残りの光を第３導光部２３側に導光する。なお、本実施形態では傾斜面２２ａが光学制御部及び透過面として機能する。
【００１７】
第３導光部２３は、前記第１導光部２１の厚さＬ１よりも薄い、厚さＬ２を有し、後面に光を拡散反射する反射面２３ａ、前面に光を出射する出射面２３ｂを備える。反射面２３ａは、例えばくさび形状プリズムや白色インクによる反射ドットなどの処理が施されている。また出射面２３ｂは、拡散処理として、別部材の拡散シートを貼ったり、その表面を凹凸形状としたりしてよい。
【００１８】
次に、本実施形態の照明器具１０の作用について説明する。
上記のように構成された照明器具１０では、図３及び図４に示すように、前記光源１２から光Ｈ０が出射されると、導光板１３にて導光されて主に第３導光部２３の出射面２３ｂから出射されて主に人の作業空間に光を照らす。そして、一部の光Ｈ１が第２導光部２２の傾斜面２２ａから出射される。傾斜面２２ａから出射された光Ｈ１は、器具１０の取り付け面側である後面側に出射され、その光は前記器具本体１１の貫通孔１１ｃの内側面１１ｄにて反射されて光透過部としての透過板１４を介して器具１０の外部に光が放出される。このため、照明器具１０の前面側方向に位置する作業空間を照明するための光源１２のみで、人の作業空間だけでなく、照明器具１０の取り付け面を照らして室内全体を光で照らすことができる。
【００１９】
次に、本実施形態の特徴的な効果を記載する。
（１）導光板１３の外周端部側に光源１２から入射した光Ｈ０の一部（光Ｈ１）を器具本体１１の後面側に導光する光学制御部及び透過面としての傾斜面２２ａを設ける。そして、器具本体１１の後面側外周部に傾斜面２２ａからの光を器具本体の後面側に放出する光透過部としての透過板１４を設ける。このような構成とすることで、光源１２からの光の一部（光Ｈ１）が第２導光部２２の傾斜面２２ａから出射される。傾斜面２２ａから出射された光Ｈ１は、器具１０の取り付け面側である後面側に出射され、その光は前記器具本体１１の貫通孔１１ｃの内側面１１ｄにて反射されて光透過部としての透過板１４を介して器具１０の外部に光が放出される。このため、人の作業空間だけでなく、取り付け面を照らして室内全体を光で照らすことができる。また、各照射方向に対して光源１２を設ける必要がなくなるため、部品点数の増加を抑えることができる。
【００２０】
尚、本発明の実施形態は、以下のように変更してもよい。
・上記実施形態では、光源１２を構成するＬＥＤを棒状（直線状）に配置する構成としたが、これに限らず、例えば円環状に配置する構成を採用しても
・上記実施形態では、光源１２としてＬＥＤを用いる構成としたが、例えば冷陰極蛍光灯を用いる構成を採用してもよい。
【００２１】
・上記実施形態では、器具本体１１を有底四角筒状に構成したが、これに限らず、例えば図４（ａ）（ｂ）に示すように、有底円筒状となるように器具本体３１を構成してもよい。ここで、図４（ａ）（ｂ）では、器具本体３１を略有底円筒状とすることで、器具本体３１の内周面に沿って環状に形成される光源３２と、図４（ａ）（ｂ）に示すように前記光源３２と対向するとともに円盤状に形成される導光板３３とを備える。また、貫通孔３１ａについても同様に、器具本体３１の外縁に沿うような湾曲形状となるように形成する。そして、この貫通孔３１ａを閉塞するように透過板３４を湾曲形状としている。
【００２２】
また、上記実施形態では、光学制御部として、導光板１３の後面側に形成される傾斜面２２ａを採用したが図５及び図６に示すように、導光板３３の第２導光部２２の前面側を傾斜面として、導光板４３内の光の一部（光Ｈ１）を後面側に反射する反射面３３ａを備えた構成としてもよい。この反射面３３ａは鏡面反射する処理（金属膜蒸着、金属箔テープ貼付など）が施されている。なお、本構成では、反射面３３ａが光学制御部として機能する。
【００２３】
このように、導光板３３の外周端部側の前面側に設けられ、導光板３３に入射した光の一部を反射する反射面３３ａを光学制御部として採用しても上記実施形態の効果（１）と同様の効果を奏することができる。
【００２４】
・上記実施形態では、光源１２を器具本体１１の外周側に配置する構成としたが、これに限らない。例えば、図８及び図９に示すように器具本体１１の中央部側に光源４２を配置する構成を採用してもよい。
【００２５】
ここで、器具本体１１の中央部側に光源４２を配置した構成について図７〜図９を用いて説明する。
本構成では、上記実施形態と同様に器具本体４１は、略有底四角筒状となるように形成される。器具本体４１の後面側である底部４１ａは、外周側の第１底部４１ｂと、この第１底部４１ｂよりも後側に突出する内周側の第２底部４１ｃとを備え、これら底部４１ｂ，４１ｃがテーパ形状の接続部４１ｄにて連続するように形成される。接続部４１ｄには、前後方向に貫通する貫通孔４１ｅが形成され、この貫通孔４１ｅには、貫通孔４１ｅの形状に倣った光透過部としての透過板４４が形成される、また、器具本体４１には器具本体４１の底部４１ａの形状に倣った導光板４３が設けられる。この導光板４３は、その中央部が開口された環状をなし、導光板４３にはその内周面４３ａと対向するように前記光源４２が設けられる。なお、本構成では前記内周面４３ａが上記実施形態の第１導光部２１の外側面１３ａと同様に光源４２の光を受ける部位である。また、導光板４３は、前記透過板４４と対向するように傾斜面４３ｂを有する。この傾斜面４３ｂは、導光板４３の外周方向に向かって厚みが薄くなるように形成され、光源４２からの光の一部がこの傾斜面４３ｂから出射されて透過板４４を介して器具本体４１外部に放出するようになっている。なお、本構成では、傾斜面４３ｂが光学制御部及び透過面として機能する。このような構成であっても、上記実施形態の効果（１）と同様の効果を奏することができる。
【００２６】
・上記実施形態並びに上記構成（別例）では、透過板１４，３４，４４にて光透過部を構成したが、透過板１４，３４，４４を省略して貫通孔１１ｃ，３１ａ，４１ｅを光透過部として採用する構成を採用してもよい。
【符号の説明】
【００２７】
１０…照明器具、１１，３１，４１…器具本体、１１ａ…前面開口部、１２，３２，４２…光源、１３，３３，４３…導光板、１４，３４，４４…透過板（光透過部）、２２ａ…傾斜面（光学制御部及び透過面）、３３ａ…反射面（光学制御部）、４３ｂ…傾斜面（光学制御部及び透過面）、Ｈ０，Ｈ１…光。
【図１】
0005884070.tif 000002
【図２】
0005884070.tif 000003
【図３】
0005884070.tif 000004
【図４】
0005884070.tif 000005
【図５】
0005884070.tif 000006
【図６】
0005884070.tif 000007
【図７】
0005884070.tif 000008
【図８】
0005884070.tif 000009
【図９】
0005884070.tif 000010